(57)【特許請求の範囲】
【請求項１】
内燃エンジンのクランク軸にワンウエイクラッチを取付け、このワンウエイクラッチをリコイルロープ用リールと連結させ、リコイルロープ用リールを回転させることで内燃エンジンを始動させるリコイルスタータ装置において、前記リコイルロープ用リールにセンター軸を突設し、このセンター軸の先端に抜け止め個所を設け、またエンジン側に取付可能なスタータケースを有し、このスタータケースの天井面の中心位置にセンター孔を開設し、このセンター孔に前記センター軸を押入して同孔に前記抜け止め個所を回転自在に係止させたことを特徴とするリコイルスタータ装置。
【請求項２】
センター軸はスリ割を有し且つその先端には先端に向うに従って細くなる傘状もしくは低くなる傾斜を備えた三角突起形状の抜け止め個所を有し、またセンター孔はセンター軸の軸径よりも大きく抜け止め個所の最大径部分よりも小さい孔であることを特徴とする請求項１記載のリコイルスタータ装置。
【請求項３】
スタータケースの天面部内にバネ室を設けてこれにリコイルバネを装入し、同リコイルバネの内端フックをセンター軸のスリ割に係止させたことを特徴とする請求項２記載のリコイルスタータ装置。
【発明の詳細な説明】
【０００１】
【発明の属する技術分野】
本発明は、内燃エンジンに装備して用いるリコイルスタータ装置に関し、詳しくはラジコン等用小型内燃エンジンのクランク軸にワンウエイクラッチを取付け、このワンウエイクラッチとリールの軸受孔との回転不能な嵌着によって内燃エンジンに装着する形式のリコイルスタータ装置の改良、具体的にはスタータケースに対するリコイルロープ用リールの取付構造の改良に関する。
【０００２】
本発明は、ワンウエイクラッチにワンウエイベアリングも含むものとする。
【０００３】
【従来の技術】
従来、この種のラジコン用小型内燃エンジンのリコイルスタータ装置としては、例えば次のような構成のものが知られている。
【０００４】
六角形の軸孔１をもつ筒状の軸受部２の両端部外周にロープ溝５を形成する１対の鍔３，４をまた中心の一方端にバネ巻取軸２７を一体に設けたリコイルロープ用リール６を硬質合成樹脂材料を以て構成し、一方の鍔３にロープ通し孔７を開設してこれにリコイルロープ８の基端部を挿通し、同基端部におけるロープ溝５の側壁の外側に存する個所にロープ通し孔７の径よりも径大の結び玉９を設けて抜け外れ不能とし、リコイルロープ８をロープ溝５内に捲着すると共にリコイルロープ用リール６の外面にバネ室２２を設け、このバネ室２２にリコイルバネ２３を当該リコイルバネ２３がリコイルロープ８に捲き戻し力を賦与する向きとして陥入させた後にスタータケース１６内に前記リール６を陥入させ、リコイルバネ２３の外端をバネ室２２の外周にまた同リコイルバネ２３の内端をスタータケース１６に設けたバネ巻取軸２７にそれぞれ係止すると共にスタータケース１６の開口面に前記リール６の抜出を阻止する阻止部材２８を、当該阻止部材２８が開口面の一部を塞いで邪魔する状態として取付た形式。
【０００５】
【発明が解決しようとする課題】
前記従来の技術において述べた形式のリコイルスタータ装置は、前記のような構成であったために、次のような問題点があった。すなわち、
ａ、  阻止部材２８がエンジンへの取り付け前の部品輸送だけに機能するだけとは言え必要なものであって全体として部品点数が多い。
ｂ、  阻止部材２８があるために工程が多くなって組立/分解しにくい。
ｃ、  阻止部材２８が外れて所謂悪さをする。
ｄ、  部品点数が多いために低コスト化に向いていない。
ｅ、  リコイルロープ用リール６はバネ室２２の周壁に案内されて回転する形式であって回転中心の軸棒を有していなく安定性がよくない。
【０００６】
本発明は、前記諸問題点を解消する工夫およびその他の工夫を施した新規のリコイルスタータ装置を提供することを目的とする。
【０００７】
【課題を解決するための手段】
前記目的を達成するために本発明に係る蓄力式スタータ装置は、内燃エンジンのクランク軸にワンウエイクラッチを取付け、このワンウエイクラッチをリコイルロープ用リールと連結させ、リコイルロープ用リールを回転させることで内燃エンジンを始動させるリコイルスタータ装置において、前記リコイルロープ用リールにセンター軸を突設し、このセンター軸の先端に抜け止め個所を設け、またエンジン側に取付可能なスタータケースを有し、このスタータケースの天井面の中心位置にセンター孔を開設し、このセンター孔に前記センター軸を押入して同孔に前記抜け止め個所を回転自在に係止させたものである。
【０００８】
そして、センター軸はスリ割を有し且つその先端には先端に向うに従って細くなる傘状もしくは低くなる傾斜を備えた三角突起形状の抜け止め個所を有し、またセンター孔はセンター軸の軸径よりも大きく抜け止め個所の最大径部分よりも小さい孔であるものである。
【０００９】
さらに、スタータケースの天面部内にバネ室を設けてこれにリコイルバネを装入し、同リコイルバネの内端フックをセンター軸のスリ割に係止させたものである。
【００１０】
【実施例】
図に示す実施例は、六角形の軸孔１をもつ筒状の軸受部２の両端部外周にロープ溝５を形成する１対の鍔３，４を一体に設けたリコイルロープ用リール６を僅かの弾性を備えた硬質合成樹脂材料を以て構成すると共に一方の鍔３にロープ通し孔７を開設してこれにリコイルロープ８の基端部を挿通し、同基端部におけるロープ溝５の側壁の外側に存する個所にロープ通し孔７の径よりも径大の結び玉９を設けて抜け外れ不能とし、リコイルロープ８をロープ溝５内に捲着する。
【００１１】
更に、前記軸受部２の外端面に短管状のバネ巻取軸兼センター軸１１を一体に突設し、このバネ巻取軸兼センター軸１１の外端縁面に１本もしくは２本以上の深いスリ割１２を切設して縮径可能とすると共に同バネ巻取軸兼センター軸１１の先端部に先方に向うに従って細くなる傘状の抜け止め個所１３を一体に突設する。
【００１２】
また、これとは別個に、硬質合成樹脂材料を以てエンジン側のファンケース１４への取付孔１５を開口縁に有する皿形状のスタータケース１６を構成し、このスタータケース１６の天井面１７の中心に前記バネ巻取軸兼センター軸１１の外周径より大きく傘状係止部１３の外周径より小さいセンター孔１９を開設すると共に同スタータケース１６の外周壁２０における天井面１７に近い個所に段部２１を形成してバネ室２２を設け、このバネ室２２にリコイルバネ２３を当該リコイルバネ２３がリコイルロープ８に捲き戻し力を賦与する向きとして装入し、この装入状態において同リコイルバネ２３の巻きの中心空間部２４を介してセンター孔１９に前記バネ巻取軸兼センター軸１１を内側から外に向って押入し、よって傘状抜け止め個所１３の外周縁部２５をセンター孔１９の切縁部外面に係止したものである。
【００１３】
そして、前記実施例は、内燃エンジンのクランク軸３１にワンウエイクラッチ３２を取付け、このワンウエイクラッチ３２とリコイルロープ用リール６の軸受孔１との回転不能な嵌着によってリコイルロープ用リール６をクランク軸３１に取付けて用いたものである。
【００１４】
なお、図面中では、リコイルロープ８の引出し孔およびリコイルバネ２３の内、外両端の引掛部を示していないが、引出し孔はスタータケース１６の外周壁２０に、またコイルバネ２３の内、外両端の引掛部は軸受部２とスタータケース１２とに設けてある。
【００１５】
また、前記実施例は、スタータケース１６の天面部１７内にバネ室２２を設け、このバネ室２２にリコイルバネ２３を装入し、同バネ室２２にリコイルバネ２３の内端フック（図示せず）をセンター軸１１のスリ割１２に係止させた構成にしてあるが、リールの外面にバネ室を設けてこれにリコイルバネを装入し、当該リコイルバネ２３の外端をバネ室の外周にまた同リコイルバネの内端をスタータケースにそれぞれ係止する構成とすることも可能である。
【００１６】
【発明の効果】
請求項１に係るリコイルスタータ装置は、前記のように、内燃エンジンのクランク軸にワンウエイクラッチを取付け、このワンウエイクラッチをリコイルロープ用リールと連結させ、リコイルロープ用リールを回転させることで内燃エンジンを始動させるリコイルスタータ装置において、前記リコイルロープ用リールにセンター軸を突設し、このセンター軸の先端に抜け止め個所を設け、またエンジン側に取付可能なスタータケースを有し、このスタータケースの天井面の中心位置にセンター孔を開設し、このセンター孔に前記センター軸を押入して同孔に前記抜け止め個所を回転自在に係止させて成るので、前記従来例が有しているような阻止部材２８を有していないものであって、前記ａ〜ｄ等のような問題点を悉く解消することができる著効を奏するものであり、しかも、本発明においてセンター軸は、阻止部材２８をいらなくする機能、スタータケースに対するリコイルロープ用リールの取付機能、リコイルバネの巻取り機能、リコイルロープ用リールの回転中心軸としての機能、および当該リコイルロープ用リールの回転の安定性を良くする機能等を一品で果し、構成組立の簡略化を可能にするものであって、その効果は極めて大なるものである。
【００１７】
また、請求項２に係るリコイルスタータ装置においてセンター軸はスリ割を有し且つその先端には先端に向うに従って細くなる傘状もしくは低くなる傾斜を備えた三角突起形状の抜け止め個所を有し、またセンター孔はセンター軸の軸径よりも大きく抜け止め個所の最大径部分よりも小さい孔であるので、スタータケースに対するリコイルロープ用リールの取付は、センター軸をセンター孔に押入するという簡易な単純作業でスピーディに行うことができて、生産の能率アップに適しているものである。
【００１８】
さらに、請求項３に係るリコイルスタータ装置は、スタータケースの天面部内にバネ室を設けてこれにリコイルバネを装入し、同バネ室にリコイルバネの内端フックをセンター軸のスリ割に係止させて成るので、当該センター軸のスリ割は前記センター軸の抜け止め個所がセンター孔の外に出ることを可能にする縮径機能の他にリコイルバネの内端フックの係止機能を果たすものであって、構成の簡略化に極めて好ましいものである。
【図面の簡単な説明】
【図１】本発明の実施例を示す断面図である。
【図２】同じく分解断面図である。
【図３】従来例を示す断面図である。
【符号の説明】
１  軸孔
２  軸受部材
３  鍔
４  鍔
５  ロープ溝
６  リール
７  ロープ通し孔
８  リコイルロープ
９  結び玉
１１  バネ巻取軸兼センター軸
１２  スリ割
１３  抜け止め個所
１４  ファンケース
１５  取付孔
１６  スタータケース
１７  天井面
１９  センター孔
２０  外周壁
２１  段部
２２  バネ室
２３  リコイルバネ
２４  中心空間部
２５  外周縁部
２７  バネ巻取軸
２８  阻止部材
３１  クランク軸
３２  ワンウエイクラッチ
【図１】
0003813888.tif 000002
【図２】
0003813888.tif 000003
【図３】
0003813888.tif 000004